(57)【特許請求の範囲】
【請求項１】
電線を碍子に固定する巻付バインドであって、
略円弧状に形成され、前記碍子の首に引っ掛ける引っ掛け部と、
当該引っ掛け部の両端部から折り返されて互いに逆方向に延び、電線に巻付けられる巻付部と、を備え、
前記引っ掛け部は、間接活線工具によって把持される一対の把持部を有し、当該一対の把持部を開閉させることにより、前記両端部の折り返し部分の間が開閉するように弾性変形し、
前記両端部の折り返し部分の一方は、折り返し幅が、他方の折り返し幅より大きく、折り返し幅が小さい折り返し部分は鉤状に形成されており、両折り返し部分が交差した場合に、鉤状部分が、折り返し幅が大きい折り返し部分に入り込み、両折り返し部分が係合することを特徴とする巻付バインド。
【請求項２】
１本の金属線からなることを特徴とする請求項１記載の巻付バインド。
【請求項３】
前記一対の把持部は、前記引っ掛け部の中央部の両側から外側に延出するように、前記金属線に曲げ加工を施すことによって形成されることを特徴とする請求項２記載の巻付バインド。
【請求項４】
前記引っ掛け部は、前記一対の把持部の間に、前記金属線をコイル状に形成してなるトーションバネ部を更に備えることを特徴とする請求項２又は３記載の巻付バインド。
【発明の詳細な説明】
【技術分野】
【０００１】
本発明は、電線を碍子に固定する際に用いる巻線バインドに関する。
【背景技術】
【０００２】
一般に、碍子は、磁器を素材に構成され、電柱に支持された腕金などに取り付けられている。そして、碍子は、高圧の電線（被覆電線）を絶縁支持している。また、碍子は、巻付バインドと呼ばれる金属線を用いて、電線を固定している。
【０００３】
ところで、電線を無停電で配電工事を行う活線作業には、直接活線工法と間接活線工法の二通りがある。直接活線工法は、高圧ゴム手袋などの保護具を着用した作業者が、通電中の被覆に直接触れて配電工事を行う工法である。一方、間接活線工法は、間接活線工具を用いて、作業者が通電中の被覆電線に直接触れることなく配電工事を行う工法である。近年では、作業環境の改善の観点から、直接活線工法から間接活線工法へと転換が進行している。
【０００４】
電線を碍子に巻付バインドを用いて固定する作業においては、ヤットコのような把持機能を有する、一般にホットスティックと称されている間接活線工具が用いられる。
【０００５】
図７は、従来の巻付バインド１００の構成を示す正面図、図８は、従来の巻付バインド１００を用いて、電線２００を碍子１１０に固定した状態を示す斜視図である。
【０００６】
従来の巻付バインド１００は、１本の金属線からなり、中央部に形成された略半円形の円弧部１０２と、円弧部１０２の両端部から螺旋状に延びる巻付部１０４と、を備えている。
【０００７】
図７のような巻付バインド１００を用いて、碍子１１０に電線２００を固定する作業を行う場合には、作業員は、ホットスティックを用いて巻付バインド１００の円弧部１０２を碍子１１０の首１１２（図８参照）に適合させ、更にホットスティックを用いて巻付部１０４の先端部を保持して電線に巻き付ける作業を行う。これにより、図８に示すように、電線２００が巻付バインド１００によって碍子１１０に固定される。
【０００８】
また、従来におけるこの種の技術としては、特許文献１に記載された技術が提案されている。特許文献１によれば、中央部に設けられ、碍子の首部を一周以上に巻回可能なループ部と、このループ部の始端と終端から当該ループ部の接線方向に延設すると共に、当該ループ部の外部の仮想の近点で交わるように延設する一対の延設部であって、電線を巻回可能に両端部に至るまでスパイラル状に形成された一対の延設部と、を有する電線用巻付バインド、について開示されている。
【先行技術文献】
【特許文献】
【０００９】
【特許文献１】特開２０１２−２８０５３号公報
【発明の概要】
【発明が解決しようとする課題】
【００１０】
ところで、図７に示す巻付バインド１００を用いて、碍子１１０に電線２００を固定する作業を行う場合には、巻付バインド１００の所定の部位をホットスティックで把持することになる。ここで、巻付バインド１００自体が細い金属線で構成されているため、把持しきれずにホットスティック先端から巻付バインド１００が滑って落下してしまうおそれがあり、作業性がよくないという問題点がある。
【００１１】
また、巻付バインド１００を用いて、碍子１００に電線２００を固定する作業を行う場合、巻付バインド１００の円弧部１０２が、碍子１１０の首１１２から外れやすいため、巻付バインド１００を支持する作業員と巻付バインド１００を電線２００に巻き付ける作業員とが必要となり、１人の作業員で作業を行うことが困難である。
【００１２】
本発明は、このような問題点を解決し、間接活線工具を操作して電線を碍子に固定する作業を容易に実施可能にする巻付バインドを提供することを目的とする。
【課題を解決するための手段】
【００１３】
前記目的を達成するため、本発明は、次に記載する構成を備えている。
【００１４】
（１）  電線を碍子に固定する巻付バインドであって、略円弧状に形成され、前記碍子の首に引っ掛ける引っ掛け部と、当該引っ掛け部の両端部から折り返されて互いに逆方向に延び、電線に巻付けられる巻付部と、を備え、前記引っ掛け部は、間接活線工具によって把持される一対の把持部を有し、当該一対の把持部を開閉させることにより、前記両端部の折り返し部分の間が開閉するように弾性変形することを特徴とする巻付バインド。
【００１５】
（１）によれば、間接活線工具を用いて一対の把持部を挟むように支持し、作業員が一対の把持部を閉じるように間接活線工具を操作することによって、引っ掛け部の両端部が開放され、この開放部分から引っ掛け部を碍子の首に挿入する。そして、間接活線工具を一対の把持部から離すことにより、引っ掛け部は、碍子の首に引っ掛かった状態で維持される。したがって、巻付バインドが碍子に取り付けられた状態で、巻付部を電線に巻き付けることができるため、巻付部の電線への巻付作業を１人の作業員によって容易に行うことが可能になる。このように、巻付バインドを用いて電線を碍子に固定する作業を間接活線工具の操作によって容易に行うことが可能になる。
【００１６】
（２）  （１）において、１本の金属線からなることを特徴とする巻付バインド。
【００１７】
（３）  （２）において、前記一対の把持部は、前記引っ掛け部の中央部の両側から外側に延出するように、前記金属線に曲げ加工を施すことによって形成されることを特徴とする巻付バインド。
【００１８】
（４）  （２）又は（３）において、前記一対の把持部は、前記一対の把持部の間に、前記金属線をコイル状に形成してなるトーションバネ部を更に備えることを特徴とする巻付バインド。
【００１９】
（４）によれば、間接活線工具を用いて一対の把持部を挟むように支持した場合、トーションバネ部による付勢によって、一対の把持部が間接活線工具の先端部に密着するようになる。このため、間接活線工具によって、巻付バインドを確実に把持することが可能になり、巻付バインドの落下を防止することができる。
【発明の効果】
【００２０】
本発明によれば、間接活線工具を操作して電線を碍子に固定する作業を容易に実施可能にする巻付バインドを提供することが可能になる。
【図面の簡単な説明】
【００２１】
【図１】本発明の一実施形態おける巻付バインド１の構成を示す正面図である。
【図２】巻付バインド１の外観を示す斜視図である。
【図３】引っ掛け部１０の折り返し部１８、１８付近の構成を示す説明図である。
【図４】巻付バインド１の動きを示す説明図である。
【図５】巻付バインド１の碍子１１０への取付作業を示す説明図である。
【図６】巻付バインド１を用いて電線２００を碍子１１０に固定した状態を示す説明図である。
【図７】従来の巻付バインド１００の構成を示す正面図である。
【図８】従来の巻付バインド１００を用いて電線２００を碍子１１０に固定した状態を示す説明図である。
【発明を実施するための形態】
【００２２】
以下、本発明の一実施形態について、図面を参照しながら詳細に説明する。
【００２３】
図１は、本発明の一実施形態おける巻付バインド１の構成を示す正面図、図２は、巻付バインド１の外観を示す斜視図である。巻付バインド１は、一本の可撓性を有する金属線によって構成されており、引っ掛け部１０と、巻付部２０と、を備えている。
【００２４】
引っ掛け部１０は、碍子１１０の首１１２（図６参照）に巻き付くように引っ掛けられる部分であり、トーションバネ部１２と、一対の円弧部１４、１４と、一対の把持部１６、１６と、折り返し部１８、１８と、によって構成されている。
【００２５】
トーションバネ部１２は、一本の金属線の中央部に形成されたコイル状の巻線部分であり、ねじり方向に弾性変形可能である。
【００２６】
一対の円弧部１４、１４は、トーションバネ部１２の両端部から半円形の円弧状に延びる部分である。
【００２７】
引っ掛け部１０は、トーションバネ部１２が外部から付勢されていない通常状態において、一対の円弧部１４、１４によって略円形に形成されている。この略円形の径は、碍子１１０の首１１２（図５参照）の径に略等しく設定されている。トーションバネ部１２は、一対の円弧部１４、１４による略円形の外側に配置されている。
【００２８】
一対の把持部１６、１６は、一本の金属線の中央部の両側、すなわち一対の円弧部１４、１４におけるトーションバネ部１２の近傍に、曲げ加工を施して円弧の外側に延出させた部分である。一対の把持部１６、１６の大きさ及び一対の把持部１６、１６の間隔は、開いた状態のホットスティック３００（図４参照）によって把持可能な大きさに設定されている。
【００２９】
折り返し部１８、１８は、一対の円弧部１４、１４の先端部に形成され、逆方向に折り返した部分である。
【００３０】
巻付部２０は、折り返し部１８によって折り返された部分であり、螺旋を描きながら直線方向に延びている。ここで一対の折り返し部１８、１８から延びる巻付部２０、２０は、それぞれ逆方向に延びている。
【００３１】
引っ掛け部１０が通常状態の場合には、図１に示すように、巻付部２０、２０が同一直線上に位置している。また、一対の把持部１６、１６が互いに開いた状態にあり、折り返し部１８、１８は互いに交差した状態にある。また、一対の把持部１６、１６が互いに閉じる方向に移動した場合、折り返し部１８、１８は互いに離間して、引っ掛け部１０の先端部に開口部５０が形成される。
【００３２】
図３は、引っ掛け部１０の折り返し部１８、１８付近の構成を示す説明図である。図３に示すように、一方の折り返し部１８（以下、折り返し部１８ａと称する場合もある）は、折り返し幅が大きく、他方の折り返し部１８（以下、折り返し部１８ｂと称する場合もある）は、折り返し部１８ａよりも折り返し幅が小さく形成されている。また、折り返し部１８ｂは鉤状に形成されている。
【００３３】
このため、折り返し部１８ａと折り返し部１８ｂとが交差した場合に、折り返し部１８ａに折り返し部１８ｂの鉤状部分が入り込み、図１〜図３に示すように、折り返し部１８ａと折り返し部１８ｂとが係合する。
【００３４】
次に、本実施形態の巻線バインド１を用いて電線を碍子に固定する作業について、図４〜図６を参照しながら説明する。
【００３５】
まず、巻線バインド１における引っ掛け部１０の両端部、すなわち折り返し部１８ａ、１８ｂが互いに係合している場合には、予め係合状態を解除しておく。次に、ホットスティック３００（図４参照）の先端部に、巻線バインド１の把持部１６、１６を取り付ける。この時、ホットスティック３００の先端部は開いた状態にある。次に、作業員がホットスティック３００を先端部を閉じるように操作する。この操作により、トーションバネ部１２がねじり方向に弾性変形し、図４に示すように、引っ掛け部１０の折り返し部１８、１８が互いに離間して開口部５０が形成される。
【００３６】
そして、作業員は、図５に示すように、開口部５０が形成された状態を維持しながら、ホットスティック３００を操作して、開口部５０から引っ掛け部１０の内側に碍子１１０の首１１２を差し込み、把持部１６、１６からホットスティック３００を離す。これにより、トーションバネ部１２の付勢によって開口部５０が閉じられ、折り返し部１８ａ、１８ｂが互いに係合し、円弧部１４、１４が碍子１１０の首１１２に巻き付いた状態で維持され、巻線バインド１が碍子１１０に仮固定される。
【００３７】
更に、作業員がホットスティック３００を操作して、電線２００に巻付部２０、２０を巻き付けることによって、図６に示すように、巻線バインド１によって電線２００が碍子１１０に固定され、作業が完了する。
【００３８】
巻線バインド１を電線２００から撤去する場合には、作業員がホットスティック３００を操作して、電線２００から巻付部２０、２０を取り外し、更に、作業員がホットスティック３００を操作して、ホットスティック３００の先端部に把持部１６、１６を把持させて、把持部１６、１６を閉じるようにホットスティック３００を強く操作することによって、折り返し部１８、１８の係合状態が解除され、開口部５０が形成される。そして、開口部５０に碍子１１０の首１１２を通し、引っ掛け部１０を碍子１１０から抜き取ることによって、巻線バインド１を電線２００から容易に撤去することが可能になる。
【００３９】
以上、説明したように構成された本実施形態によれば、間接活線工具（ホットスティック３００）に一対の把持部１６、１６を挟むように支持させ、作業員が一対の把持部１６、１６を閉じるようにホットスティック３００を操作することによって、開口部５０を形成し、更に、作業員がホットスティック３００を操作することによって、引っ掛け部１０を開口部５０から碍子１１０の首１１２に挿入する。そして、ホットスティック３００を一対の把持部１６、１６から離すことにより、引っ掛け部１０が碍子１１０の首１１２に引っ掛かった状態で、巻付バインド１が碍子１１０に維持される。このように、巻付バインド１の碍子１１０の首１１２への取り付けが容易に可能になる。しかも、巻付バインド１が碍子１１０の首１１２に仮固定されるため、作業員は、ホットスティック３００を一対の把持部１６、１６から離した後、ホットスティック３００あるいは他のバインド巻付用の間接活線工具を使用して巻付部２０、２０を電線２００に巻き付ける作業を行うことが可能になる。したがって、巻付部２０、２０の電線２００への巻付作業を１人の作業員によって行うことが可能になる。
【００４０】
このように、本実施形態によれば、電線２００を碍子１１０に固定する作業を間接活線工具の操作によって容易に行うことが可能になり、また、巻付バインド１の撤去も間接活線工具の操作によって容易に行うことが可能になる。
【００４１】
また、ホットスティック３００を用いて一対の把持部１６、１６を挟むように支持した場合、トーションバネ部１２の付勢によって、把持部１６、１６が間接活線工具の先端部に密着するようになる。このため、間接活線工具によって、巻付バインド１を確実に把持することが可能になり、巻付バインド１の落下を防止することができる。
【００４２】
また、トーションバネ部１２を備えることにより、ホットスティック３００によって一対の把持部１６、１６を把持する際に、引っ掛け部１０の中央部が塑性変形することが防止される。しかも、トーションバネ部を備えることにより、引っ掛け部の両端部の開閉幅を大きくすることが可能になり、引っ掛け部を碍子に挿入する作業を容易に行うことが可能になる。
【符号の説明】
【００４３】
１  巻付バインド
１０  引っ掛け部
１２  トーションバネ部
１４  円弧部
１６  把持部
１８、１８ａ、１８ｂ  折り返し部
２０  巻付部
５０  開口部
１１０  碍子
１１２  首
２００  電線
３００  ホットスティック
【図１】
0005908515.tif 000002
【図２】
0005908515.tif 000003
【図３】
0005908515.tif 000004
【図４】
0005908515.tif 000005
【図５】
0005908515.tif 000006
【図６】
0005908515.tif 000007
【図７】
0005908515.tif 000008
【図８】
0005908515.tif 000009